(57)【要約】【課題】厚さ寸法を小さくしつつフィルム状の光学部材が表示パネルを載置する領域に乗り上げることを防止できる光源装置もしくは表示装置を提供すること。【解決手段】光源１１と、フィルム状の光学部材１３と、略平面に形成される射出面１２１１ａとこの射出面１２１１ａの外周の少なくとも一部に射出面１２１１ａに対して所定の角度をもって傾斜する光学部材支持面１２１２ａが形成される導光部材１２ａと、導光部材１２ａに形成される光学部材支持面１２１２ａに所定の距離をもって対向する光学部材支持面１４５が形成されるフレーム１４ａとを有し、導光部材１２ａに形成される射出面１２１１ａにフィルム状の光学部材１３が配設され、フィルム状の光学部材１３の周縁部の少なくとも一部が、導光部材１２ａに形成される光学部材支持面１２１２ａと、フレーム１４ａに形成される光学部材支持面１４５との間に位置する。【選択図】図９
2011029045.tif 000002
【特許請求の範囲】
【請求項１】
光源と、
フィルム状に形成される第一の光学部材と、
略平面に形成される第一の面と前記第一の面の外周の少なくとも一部に前記第一の面に対して所定の角度をもって傾斜する第二の面とが形成される第二の光学部材と、
前記第二の光学部材の少なくとも一部を収納可能であり前記第二の光学部材の少なくとも一部が収納されると前記第二の光学部材に形成される前記第二の面に所定の距離をもって対向する第一の面が形成されるフレームと、
を有し、
前記第二の光学部材に形成される前記第一の面に前記第一の光学部材が配設され、前記第一の光学部材の周縁部の少なくとも一部が、前記第二の光学部材に形成される第二の面と、前記フレームに形成される第一の面との間に位置することを特徴とする光源装置。
【請求項２】
前記第一の光学部材の外周の寸法および形状は、前記第二の光学部材に形成される前記第一の面の外周の寸法および形状よりも大きく形成され、前記第一の光学部材の周縁部のうち前記第二の光学部材に形成される前記第一の面の外周からはみ出した部分が、前記第二の光学部材に形成される第二の面と、前記フレームに形成される第一の面との間に位置することを特徴とする請求項１に記載の光源装置。
【請求項３】
前記第一の光学部材の外周の少なくとも一部には、外側に向かって延出する延出部が形成され、前記第一の光学部材に形成される前記延出部が、前記第二の光学部材に形成される第二の面と、前記フレームに形成される第一の面との間に位置することを特徴とする請求項１に記載の光源装置。
【請求項４】
前記第一の光学部材の外周の寸法および形状は、前記第二の光学部材に形成される前記第一の面の外周の寸法および形状に略等しく形成されるとともに、前記第一の光学部材の外周の少なくとも一部には、外側に向かって延出する延出部が形成され、前記第一の光学部材に形成される前記延出部が、前記第二の光学部材に形成される第二の面と、前記フレームに形成される第一の面との間に位置することを特徴とする請求項１に記載の光源装置。
【請求項５】
前記フレームに形成される第一の面には係合凹部が形成され、前記第一の光学部材に形成される延出部は前記フレームに形成される第一の面に形成される前記係合凹部に係合していることを特徴とする請求項４に記載の光源装置。
【請求項６】
光源と、
フィルム状に形成される複数の第一の光学部材と、
略平面に形成される第一の面と前記第一の面の外周の少なくとも一部に前記第一の面に対して所定の角度をもって傾斜する第二の面とが形成される第二の光学部材と、
前記第二の光学部材の少なくとも一部を収納可能であり前記第二の光学部材の少なくとも一部が収納されると前記第二の光学部材に形成される前記第二の面と所定の距離をもって対向する第一の面が形成されるフレームと、
を有し、
前記第二の光学部材に形成される前記第一の面に前記複数の第一の光学部材が積み重ねられるように配設され、前記複数の第一の光学部材のうちの少なくとも最も上層に位置する一枚の前記第一の光学部材の周縁部の少なくとも一部が、前記第二の光学部材に形成される第二の面と、前記フレームに形成される第一の面との間に位置することを特徴とする光源装置。
【請求項７】
前記複数の第一の光学部材のうちの少なくとも最も上層に位置する一枚の前記第一の光学部材の外周の寸法および形状は、前記第二の光学部材に形成される前記第一の面の外周の寸法および形状よりも大きく形成され、前記複数の第一の光学部材のうちの少なくとも最も上層に位置する一枚の前記第一の光学部材の周縁部のうち前記第二の光学部材に形成される前記第一の面の外周からはみ出した部分が、前記第二の光学部材に形成される第二の面と、前記フレームに形成される第一の面との間に位置することを特徴とする請求項６に記載の光源装置。
【請求項８】
前記複数の第一の光学部材のうちの少なくとも最も上層に位置する一枚の前記第一の光学部材の外周の少なくとも一部には、外側に向かって延出する延出部が形成され、前記複数の第一の光学部材のうちの少なくとも最も上層に位置する一枚の前記第一の光学部材に形成される前記延出部が、前記第二の光学部材に形成される第二の面と、前記フレームに形成される第一の面との間に位置することを特徴とする請求項６に記載の光源装置。
【請求項９】
前記複数の第一の光学部材のうちの少なくとも最も上層に位置する一枚の前記第一の光学部材の外周の寸法および形状は、前記第二の光学部材に形成される前記第一の面の外周の寸法および形状に略等しく形成されるとともに、前記複数の第一の光学部材のうちの少なくとも最も上層に位置する一枚の前記第一の光学部材の外周の少なくとも一部には外側に向かって延出する延出部が形成され、前記複数の第一の光学部材のうちの少なくとも最も上層に位置する前記第一の光学部材に形成される前記延出部が、前記第二の光学部材に形成される第二の面と、前記フレームに形成される第一の面との間に位置することを特徴とする請求項８に記載の光源装置。
【請求項１０】
前記フレームに形成される第一の面には係合凹部が形成され、前記第一の光学部材に形成される延出部は前記フレームに形成される第一の面に形成される前記係合凹部に係合していることを特徴とする請求項９に記載の光源装置。
【請求項１１】
前記第二の光学部材に形成される第二の面は、前記第二の光学部材に形成される第一の面に対して所定の角度をもって傾斜する略平面状の傾斜面であり、前記フレームに形成される第一の面は、前記第二の光学部材の少なくとも一部が収納されると前記第二の光学部材に形成される前記第二の面に所定の距離をもって略平行に対向する略平面に形成されることを特徴とする請求項１から請求項１０のいずれか一項に記載の光源装置。
【請求項１２】
前記第二の光学部材に形成される第二の面は、前記第二の光学部材に形成される第一の面から滑らかに繋がる曲面であり、前記フレームに形成される第一の面は、前記第二の光学部材の少なくとも一部が収納されると、前記第二の光学部材に形成される前記第二の面に所定の距離をもって対向する曲面に形成されることを特徴とする請求項１から請求項１０のいずれか一項に記載の光源装置。
【請求項１３】
前記フレームには、前記第二の光学部材の少なくとも一部が収納可能な開口部が形成され、前記開口部の内周側に前記第一の面が形成されることを特徴とする請求項１から請求項１２のいずれか１項に記載の光源装置。
【請求項１４】
前記第一の光学部材は、光源が発した光の特性を調整できる光学部材であることを特徴とする請求項１から請求項１３のいずれか１項に記載の光源装置。
【請求項１５】
前記第一の光学部材は、透過する光を拡散する機能を有する拡散フィルム、透過する光を集光する機能を有するレンズフィルム、所定の方向の偏光軸を有する光を透過させ前記所定の方向以外の方向の偏光軸を有する光を反射させる偏光反射フィルムのいずれか一つまたは複数であることを特徴とする請求項１４に記載の光源装置。
【請求項１６】
前記第二の光学部材は、前記光源の光を導くことができる導光部材であることを特徴とする請求項１から請求項１３のいずれか１項に記載の光源装置。
【請求項１７】
前記フレームには、画像を表示することができる表示パネルを載置可能な第二の面が形成され、前記第一の面は前記第二の面の背面側に形成されることを特徴とする請求項１から請求項１６のいずれか１項に記載の光源装置。
【請求項１８】
前記フレームには、前記第二の光学部材の少なくとも一部が収納可能な開口部が形成され、前記開口部の内周側に前記第一の面および前記第二の面が形成されることを特徴とする請求項１７に記載の光源装置。
【請求項１９】
請求項１から請求項１６のいずれか１項に記載の光源装置と、
画像を表示できる表示パネルと、
を備え、
前記表示パネルが前記光源装置の一側に配設され、前記光源装置が発する光を前記表示パネルを透過させることにより前記表示パネルに画像を表示させることができることを特徴とする表示装置。
【請求項２０】
前記表示パネルは、前記フレームに両面テープにより接着されていることを特徴とする請求項１９に記載の表示装置。
【請求項２１】
請求項１７または請求項１８に記載の光源装置と、
画像を表示できる表示パネルと、
を備え、
前記表示パネルが前記フレームに形成される第二の面に配置され、前記光源装置が発する光を前記表示パネルを透過させることにより前記表示パネルに画像を表示させることができることを特徴とする表示装置。
【請求項２２】
前記表示パネルは、前記フレームの前記第二の面に両面テープにより接着されていることを特徴とする請求項２１に記載の表示装置。
【請求項２３】
前記表示パネルは、透過型の液晶表示パネルまたは半透過型の液晶表示パネルであることを特徴とする請求項１９から請求項２２のいずれか１項に記載の表示装置。
【発明の詳細な説明】
【技術分野】
【０００１】
本発明は、光源装置および表示装置に関するものであり、特に好適には、非自発光型の表示パネルを備える表示装置に適用できる光源装置であって光源とこの光源が発する光の特性を調整できるフィルム状の光学部材とを備える光源装置と、光源とこの光源が発する光の特性を調整できるフィルム状の光学部材と前記光源が発する光を透過させることにより画像を表示することができる非自発光型の表示パネルとを備える表示装置に関するものである。
【背景技術】
【０００２】
透過型の液晶表示パネルなどといった非自発光型の表示パネルを備える表示装置には、たとえば、表示パネルの背面側に、光源およびその他の所定の光学部材が配設される構成や、光源およびその他の所定の光学部材を有する光源装置（「バックライト装置」、「バックライトユニット」などと称することがある）が配設される構成を備えるものがある。このような構成の表示装置は、光源が発した光の特性を、所定の光学部材などによって調整し、特性が調整された光を表示パネルの背面側に照射する。そして、表示パネルは、背面側に照射された光を所定の態様で前面側に透過させることにより、その前面側に画像を表示することができる。
【０００３】
具体的には、たとえば次のような構成を有する。表示装置は、表示装置の筐体となるフレームと、発光ダイオード（ＬＥＤ）や蛍光管などの光源と、光源が発した光を表示パネルの表示領域（＝画像を表示する領域）の全体に導く板状の導光部材と、光源が発した光の特性を調整できる所定のフィルム状の光学部材と、透過型または半透過型の液晶表示パネルなどの非自発光型で透過型または半透過型の表示パネルとを有する。そして、フレームに導光部材が配設されるとともに、導光部材の一側には光源が配設される。導光部材の前面側には所定のフィルム状の光学部材が配設され、さらにそれらの前面側には表示パネルが配設される。このような構成によれば、光源が発した光は、導光部材を通じて前面側に射出される。そして射出された光はフィルム状の光学部材を透過することによりその特性が調整され、特性が調整された光が表示パネルの背面側に照射される。
【０００４】
表示装置や光源装置のフレームには、略四辺形の開口した略額縁状の構造や、略四辺形の底の浅いトレイ状の構造を有し、開口の内周またはトレイの周壁に相当する部分の内周に、内側に向かって突起する構造物が形成される構成のものがある。このような構成のフレームによれば、この構造物の前面に表示パネルの背面の周縁部を載置することにより、表示パネルをフレームに固定することができる。
【０００５】
ところが、前記のように、表示パネルの背面側にフィルム状の光学部材が配設される構成であると、このような構成のフレームでは、フィルム状の光学部材の周縁部がフレームに形成される構造物の前面に乗り上げることがある。そして、フィルム状の光学部材の周縁部がフレームに形成される構造物の前面に乗り上げると、表示パネルが、フィルム状の光学部材の厚さ寸法だけ前面側に浮き上がる。また、前記構造物の前面に両面テープを貼り付け、この両面テープによって表示パネルをフレームに固定することがある。このような構成では、両面テープとフィルム状の光学部材とが近接するため、たとえばリワークなどにおいて両面テープを前記構造物の表面から剥がす際に、誤ってフィルム状の光学部材に接触して損傷させるおそれがある。
【０００６】
そこで、このような問題を解消するため、たとえば特許文献１のような構成が提案されている。具体的には、特許文献１には、光源装置（文献中では「バックライトユニット」と称する）のフレーム（文献中では「ケース」と称する）に、表示パネルを固定するための構造物である中間底部が形成される構成が開示されている。この中間底部は、フレームの周壁の内側に突起するように形成される構造物であり、所定の厚さを有する。そして、フィルム状の光学部材の周縁部を中間底部の背面に配設するとともに、中間底部の前面に表示パネルの周縁部を両面テープによって固定する。
【０００７】
このような構成によれば、フィルム状の光学部材の周縁部は中間底部の背面に位置するから、中間底部の前面に乗り上げることを防止でき、表示パネルがフィルム状の光学部材に乗り上げて浮き上がることを防止できる。また、中間底部が所定の厚さを有するから、フィルム状の光学部材を、中間底部の前面に貼り付けられた両面テープから、所定の距離（＝少なくとも中間底部の厚さ）だけ遠ざけた状態に維持することができる。このため、リワークなどにおいて中間底部の前面に貼り付けられた両面テープを剥がす工程において、誤ってフィルム状の光学部材に接触して損傷することを防止または抑制できる。このため、リワークなどの作業性が向上する。
【０００８】
しかしながら、特許文献１の構成は、次のような問題を有する。すなわち、特許文献１に記載の構成は、中間底部の厚みによって、中間底部の前面に貼り付けられた両面テープとフィルム状の光学部材とを離間させる構成であるから、表示装置または光源装置の厚さが、中間底部の厚さ寸法分だけ大きくなる。このため、表示装置や光源装置の薄型化を図ることが困難である。
【先行技術文献】
【特許文献】
【０００９】
【特許文献１】特開２００６−１８５８０４号公報
【発明の概要】
【発明が解決しようとする課題】
【００１０】
上記実情に鑑み、本発明が解決しようとする課題は、厚さ寸法を小さくすることができる光源装置もしくは表示装置を提供すること、または、フィルム状の光学部材が表示パネルを載置する領域に乗り上げることを防止できる光源装置もしくは表示装置を提供すること、または、リワークなどの作業性の向上を図ることができる光源装置もしくは表示装置を提供すること、または、厚さ寸法を小さくしつつフィルム状の光学部材が表示パネルを載置する領域に乗り上げることを防止できる光源装置もしくは表示装置を提供すること、または、厚さ寸法を小さくしつつリワークなどの作業性の向上を図ることができる光源装置もしくは表示装置を提供することである。
【課題を解決するための手段】
【００１１】
前記課題を解決するため、本発明は、光源と、フィルム状に形成される第一の光学部材と、略平面に形成される第一の面と前記第一の面の外周の少なくとも一部に前記第一の面に対して所定の角度をもって傾斜する第二の面とが形成される第二の光学部材と、前記第二の光学部材の少なくとも一部を収納可能であり前記第二の光学部材の少なくとも一部が収納されると前記第二の光学部材に形成される前記第二の面に所定の距離をもって対向する第一の面が形成されるフレームとを有し、前記第二の光学部材に形成される前記第一の面に前記第一の光学部材が配設され、前記第一の光学部材の周縁部の少なくとも一部が、前記第二の光学部材に形成される第二の面と、前記フレームに形成される第一の面との間に位置することを要旨とするものである。
【００１２】
前記第一の光学部材の外周の寸法および形状は、前記第二の光学部材に形成される前記第一の面の外周の寸法および形状よりも大きく形成され、前記第一の光学部材の周縁部のうち前記第二の光学部材に形成される前記第一の面の外周からはみ出した部分が、前記第二の光学部材に形成される第二の面と、前記フレームに形成される第一の面との間に位置する構成が適用できる。
【００１３】
前記第一の光学部材の外周の少なくとも一部には、外側に向かって延出する延出部が形成され、前記第一の光学部材に形成される前記延出部が、前記第二の光学部材に形成される第二の面と、前記フレームに形成される第一の面との間に位置する構成が適用できる。
【００１４】
そしてこの場合には、前記フレームに形成される第一の面には係合凹部が形成され、前記第一の光学部材に形成される延出部は前記フレームに形成される第一の面に形成される前記係合凹部に係合している構成が適用できる。
【００１５】
前記第一の光学部材の外周の寸法および形状は、前記第二の光学部材に形成される前記第一の面の外周の寸法および形状に略等しく形成されるとともに、前記第一の光学部材の外周の少なくとも一部には、外側に向かって延出する延出部が形成され、前記第一の光学部材に形成される前記延出部が、前記第二の光学部材に形成される第二の面と、前記フレームに形成される第一の面との間に位置する構成が適用できる。
【００１６】
本発明は、光源と、フィルム状に形成される複数の第一の光学部材と、略平面に形成される第一の面と前記第一の面の外周の少なくとも一部に前記第一の面に対して所定の角度をもって傾斜する第二の面とが形成される第二の光学部材と、前記第二の光学部材の少なくとも一部を収納可能であり前記第二の光学部材の少なくとも一部が収納されると前記第二の光学部材に形成される前記第二の面と所定の距離をもって対向する第一の面が形成されるフレームとを有し、前記第二の光学部材に形成される前記第一の面に前記複数の第一の光学部材が積み重ねられるように配設され、前記複数の第一の光学部材のうちの少なくとも最も上層に位置する一枚の前記第一の光学部材の周縁部の少なくとも一部が、前記第二の光学部材に形成される第二の面と、前記フレームに形成される第一の面との間に位置することを要旨とするものである。
【００１７】
前記複数の第一の光学部材のうちの少なくとも最も上層に位置する一枚の前記第一の光学部材の外周の寸法および形状は、前記第二の光学部材に形成される前記第一の面の外周の寸法および形状よりも大きく形成され、前記複数の第一の光学部材のうちの少なくとも最も上層に位置する一枚の前記第一の光学部材の周縁部のうち前記第二の光学部材に形成される前記第一の面の外周からはみ出した部分が、前記第二の光学部材に形成される第二の面と、前記フレームに形成される第一の面との間に位置する構成が適用できる。
【００１８】
前記複数の第一の光学部材のうちの少なくとも最も上層に位置する一枚の前記第一の光学部材の外周の少なくとも一部には、外側に向かって延出する延出部が形成され、前記複数の第一の光学部材のうちの少なくとも最も上層に位置する一枚の前記第一の光学部材に形成される前記延出部が、前記第二の光学部材に形成される第二の面と、前記フレームに形成される第一の面との間に位置する構成が適用できる。
【００１９】
そしてこの場合には、前記フレームに形成される第一の面には係合凹部が形成され、前記第一の光学部材に形成される延出部は前記フレームに形成される第一の面に形成される前記係合凹部に係合している構成が適用できる。
【００２０】
前記複数の第一の光学部材のうちの少なくとも最も上層に位置する一枚の前記第一の光学部材の外周の寸法および形状は、前記第二の光学部材に形成される前記第一の面の外周の寸法および形状に略等しく形成されるとともに、前記複数の第一の光学部材のうちの少なくとも最も上層に位置する一枚の前記第一の光学部材の外周の少なくとも一部には外側に向かって延出する延出部が形成され、前記複数の第一の光学部材のうちの少なくとも最も上層に位置する前記第一の光学部材に形成される前記延出部が、前記第二の光学部材に形成される第二の面と、前記フレームに形成される第一の面との間に位置する構成が適用できる。
【００２１】
ここで、前記第二の光学部材に形成される第二の面は、前記第二の光学部材に形成される第一の面に対して所定の角度をもって傾斜する略平面状の傾斜面であり、前記フレームに形成される第一の面は、前記第二の光学部材の少なくとも一部が収納されると前記第二の光学部材に形成される前記第二の面に所定の距離をもって略平行に対向する略平面に形成される構成が適用できる。
【００２２】
また、前記第二の光学部材に形成される第二の面は、前記第二の光学部材に形成される第一の面から滑らかに繋がる曲面であり、前記フレームに形成される第一の面は、前記第二の光学部材の少なくとも一部が収納されると、前記第二の光学部材に形成される前記第二の面に所定の距離をもって対向する曲面に形成される構成であってもよい。
【００２３】
前記フレームには、前記第二の光学部材の少なくとも一部が収納可能な開口部が形成され、前記開口部の内周側に前記第一の面が形成される構成が適用できる。
【００２４】
前記第一の光学部材には、光源が発した光の特性を調整できる光学部材が適用できる。
【００２５】
具体的には、前記第一の光学部材には、透過する光を拡散する機能を有する拡散フィルム、透過する光を集光する機能を有するレンズフィルム、所定の方向の偏光軸を有する光を透過させ前記所定の方向以外の方向の偏光軸を有する光を反射させる偏光反射フィルムのいずれか一つまたは複数が適用できる。
【００２６】
前記第二の光学部材には、前記光源の光を導くことができる導光部材が適用できる。
【００２７】
前記フレームには、画像を表示することができる表示パネルを載置可能な第二の面が形成され、前記第一の面は前記第二の面の背面側に形成される構成が適用できる。
【００２８】
また、前記フレームには、前記第二の光学部材の少なくとも一部が収納可能な開口部が形成され、前記開口部の内周側に前記第一の面および前記第二の面が形成される構成が適用できる。
【００２９】
本発明にかかる表示装置は、前記いずれかの光源装置と、画像を表示できる表示パネルとを備え、前記表示パネルが前記光源装置の一側に配設され、前記光源装置が発する光を前記表示パネルを透過させることにより前記表示パネルに画像を表示させることができることを要旨とするものである。
【００３０】
前記表示パネルは、前記フレームに両面テープにより接着されている構成であることが好ましい。
【００３１】
本発明にかかる表示装置は、第二の面が形成されるフレームを備える光源装置と、画像を表示できる表示パネルとを備え、前記表示パネルが前記フレームに形成される第二の面に配置され、前記光源装置が発する光を前記表示パネルを透過させることにより前記表示パネルに画像を表示させることができることを要旨とするものである。
【００３２】
前記表示パネルは、前記フレームの前記第二の面に両面テープにより接着されている構成が適用できる。
【００３３】
前記表示パネルには、透過型の液晶表示パネルまたは半透過型の液晶表示パネルが適用できる。
【発明の効果】
【００３４】
本発明にかかる光源装置によれば、フィルム状の光学部材の周縁部を、所定の角度だけ背面側に傾斜させた状態で支持する。このため、フィルム状の光学部材の前面を、フレームの表示パネル支持面よりに近付けて載置できるから、光源装置の厚さ寸法を小さくすることができる。
【００３５】
また、フィルム状の光学部材の周縁部は、光源装置のフレームの光学部材支持面と、平面状に形成される部分を有する光学部材の光学部材支持面との間に挟まれた状態に維持される。このため、フィルム状の光学部材が、光源装置のフレームの表示パネル支持面に乗り上げることがない。したがって、たとえば、光源装置のフレームの表示パネル支持面に両面テープを貼り付ける作業において、フィルム状の光学部材が作業を阻害することがない。たとえば、フィルム状の光学部材の周縁部が、両面テープを貼り付ける作業の邪魔になることや、光源装置のフレームの表示パネル支持面に貼り付けた両面テープに、フィルム状の光学部材が貼り付くことがない。
【００３６】
また、リワークなどにおいて、光源装置のフレームの表示パネル支持面に貼り付けられた両面テープを剥がす際に、フィルム状の光学部材がリワークの作業を阻害することがなくなる。すなわち、フィルム状の光学部材の周縁部は、光源装置のフレームの光学部材支持面と導光部材の光学部材支持面との間に位置しているから、フィルム状の光学部材が作業の邪魔にならない。このため、リワークの作業性の向上を図ることができる。
【００３７】
なお、本発明にかかる光源装置が複数枚のフィルム状の光学部材を有し、最も前面側に、略平面状に形成される部分を有する光学部材の当該略平面状に形成される部分からはみ出す部分を有するフィルム状の光学部材が載置される構成であれば、他のフィルム状の光学部材が前記はみ出す部分を有していなくても、前記同様の作用効果を奏することができる。
【００３８】
また、フレームに形成される第一の面に係合凹部が形成され、前記第一の光学部材に形成される延出部は前記フレームに形成される第一の面に形成される前記係合凹部に係合している構成であれば、フィルム状の光学部材の延出部が係合凹部に係合することにより、フィルム状の光学部材が位置決めされる。したがって、フィルム状の光学部材の位置決めが容易であり、かつ、フィルム状の光学部材の位置ずれを防止できる。
【００３９】
本発明にかかる表示装置によれば、フィルム状の光学部材は、その周縁部が所定の角度だけ背面側に傾斜させた状態で支持される。このため、表示パネルとフィルム状の光学部材とを近接または接触させることができ、表示パネルとフィルム状の光学部材との間を離間させる必要がない。このため、表示装置の厚さを薄くすることができる。
【００４０】
また、フィルム状の光学部材が、フレームの表示パネル支持面に乗り上げることがないから、フレームの表示パネル支持面に載置された表示パネルが、表示装置の前面側に浮き上がることがない。
【００４１】
このほか、本発明にかかる表示装置は、前記本発明にかかる光源装置と同様の作用効果を奏することができる。
【図面の簡単な説明】
【００４２】
【図１】本発明の第一実施形態にかかる光源装置の構成を、模式的に示した分解斜視図である。
【図２】導光部材の変形例を示した外観斜視図であり、（ａ）は、導光部材の本体部の四辺のうち、延出部が形成される辺に対向する辺にのみ光学部材支持面が形成される構成を示し、（ｂ）は、延出部が形成される辺に隣接する二辺にのみ光学部材支持面が形成される構成を示す。
【図３】光学部材支持面が曲面に形成される導光部材の構成を、模式的に示した外観斜視図であり、（ａ）は、本体部の四辺のうち延出部が形成される辺以外の三辺に曲面の光学部材支持面が形成される構成を示し、（ｂ）は、延出部が形成される辺に対向する辺に曲面の光学部材支持面が形成される構成を示し、（ｃ）は延出部が形成される辺に隣接する二辺に曲面の光学部材支持面が形成される構成を示す。
【図４】フィルム状の光学部材の外形の形状および寸法のバリエーションを示した平面図であって導光部材と重ね合わせて示した図であり、（ａ）は、フィルム状の光学部材が略四辺形に形成される構成を示し、（ｂ）は、略四辺形であって所定の角部に第一の切り欠きが形成される構成を示し、（ｃ）は、フィルム状の光学部材の外周に延出部が形成される構成を示す。
【図５】変形例にかかる導光部材とこの導光部材に適用できるフィルム状の光学部材の構成を模式的に示した図であり、（ａ）は変形例にかかる導光部材の構成を模式的に示した外観斜視図、（ｂ）は、（ａ）に示す導光部材に適用できるフィルム状の光学部材の構成を模式的に示した平面図であり、導光部材と重ね合わせた状態を示す。
【図６】フレームの概略構成を模式的に示した外観斜視図であり、（ａ）は前面側から見た図、（ｂ）は背面側から見た図である。
【図７】光学部材支持面が略平面に形成されるフレームの概略構成を模式的に示した断面図であり、（ａ）は図６（ａ）のＡ−Ａ線矢視図、（ｂ）は図６（ａ）のＢ−Ｂ線矢視図である。
【図８】光学部材支持面が曲面に形成されるフレームの概略構成を模式的に示した断面図であり、（ａ）は図６（ａ）のＡ−Ａ線矢視図、（ｂ）は図６（ａ）のＢ−Ｂ線矢視図である。
【図９】本発明の第一実施形態にかかる光源装置の断面構造を、模式的に示した断面図であり、光学部材支持面が略平面に形成されるフレームが適用された構成を示す。
【図１０】本発明の第一実施形態にかかる光源装置の断面構造を、模式的に示した断面図であり、光学部材支持面が曲面に形成されるフレームが適用された構成を示す。
【図１１】本発明の第二実施形態にかかる光源装置の構成を、模式的に示した分解斜視図である。
【図１２】本発明の第二実施形態にかかる光源装置に適用されるフィルム状の光学部材の構成を模式的に示した平面図であり、（ａ）は、延出部を有するフィルム状の光学部材を示し、（ｂ）は、延出部を有さないフィルム状の光学部材を示す。
【図１３】本発明の第二実施形態にかかる光源装置に適用されるフレームの構成を模式的に示した外観斜視図であり、（ａ）は前面側から見た図、（ｂ）は背面側から見た図である。
【図１４】本発明の第二実施形態にかかる光源装置に適用されるフレームの構成を模式的に示した断面図であり、（ａ）は図１３（ａ）のＣ−Ｃ線矢視図、（ｂ）は図１３（ａ）のＤ−Ｄ線矢視図である。
【図１５】変形例に係る係合凹部が形成されたフレームの構成と、このフレームに適用できるフィルム状の光学部材の構成を、模式的に示した図であり、（ａ）は、フレームの構成を模式的に示した外観斜視図であって背面側から見た図、（ｂ）は、このフレームに適用できるフィルム状の光学部材の構成を導光部材に重ね合わせて示した平面図である。
【図１６】反射板取付面にまで達していない係合凹部が形成されるフレームの構成を模式的に示した外観斜視図であり背面側から見た図であって、（ａ）は、光学部材支持面の局所的な部分に係合凹部が形成される構成を有するフレームを示し、（ｂ）開口部の内周の各辺の略全長にわたって係合凹部が形成されるフレームを示す。
【図１７】本発明の第二実施形態にかかる光源装置の構成を模式的に示した断面図であり、（ａ）は、フィルム状の光学部材の延出部でない部分を示し、（ｂ）はフィルム状の光学部材の延出部を示す。
【図１８】本発明の実施形態にかかる表示装置の構成を、模式的に示した分解斜視図である。
【発明を実施するための形態】
【００４３】
以下に、本発明の各種実施形態について、図面を参照して詳細に説明する。
【００４４】
図１は、本発明の第一実施形態にかかる光源装置１ａの構成を、模式的に示した分解斜視図である。本発明の第一実施形態にかかる光源装置１ａは、液晶表示装置の光源に適用される光源装置であって、いわゆるエッジライト型（「サイドライト型」とも称する）の光源装置である。なお、説明の便宜上、本発明の第一実施形態にかかる光源装置１ａについて、外部（＝表示パネル）に向けて光を照射する側を「前面側」と称し、その反対側を「背面側」と称する。また、本発明の第一実施形態にかかる光源装置１ａを構成する部材（＝組み付けられる部材）についても同様とする。図１においては、上方が「前面側」となり、下方が「背面側」となる。
【００４５】
図１に示すように、本発明の第一実施形態にかかる光源装置１ａは、光源１１と、導光部材１２ａと、所定の種類および所定の枚数のフィルム状の光学部材１３ａと、フレーム１４ａと、反射板１５とを有する。
【００４６】
光源１１には、発光ダイオード（ＬＥＤ）などの発光素子が実装された回路基板が適用される。なお、光源１１の構成は特に限定されるものではなく、また、配置態様も、図１に示すような光源１１を反射板の裏面側から配置し、発光素子を反射板の表面側に突出させる構成に限定されるものではない。また、この光源１１には、公知の各種光源が適用できる。したがって説明は省略する。
【００４７】
導光部材１２ａは、光源１１が発した光を面状に拡げて外部（＝表示パネル）に射出する機能を有する光学部材である。この導光部材１２ａは、略透明な部材であり、たとえば略透明なアクリル系の樹脂材料などにより形成される。図１に示すように、導光部材１２ａは、本体部１２１ａと延出部１２２ａとを有する。本体部１２１ａは、所定の厚さ寸法を有する板状に形成される部分である。本体部１２１ａの外形（＝面方向の外周の形状）および寸法については後述する。延出部１２２ａは、本体部１２１ａの側面から突起する部分である。延出部１２２ａは、光源１１が発する光を本体部１２１ａに導く光路となる部分である。この延出部１２２ａの形状および寸法は特に限定されるものではない。たとえば、図１に示すような先細り形状に形成される構成が適用できる。なお、導光部材１２ａには必ずしも延出部１２２ａが形成される必要はない。すなわち、導光部材１２ａの本体部１２１ａの側方の直近に光源１１が配設され、光源１１が発する光を直接的に導光部材１２ａの本体部１２１ａに照射する構成とすれば、延出部１２２ａは必要ない。
【００４８】
導光部材１２ａの本体部１２１ａの構成は次のとおりである。図１に示すように、導光部材１２ａの本体部１２１ａには、射出面１２１１ａと光学部材支持面１２１２ａとが形成される。
【００４９】
射出面１２１１ａは、本体部１２１ａの前面側に形成される略平面の部分である。そして光源１１から照射された光を、延出部１２２ａを通じて射出面１２１１ａから外部に向かって光を射出することができる。射出面１２１１ａの外周の形状および寸法は、本発明の第一実施形態にかかる光源装置１ａが発する光の領域の寸法および形状に応じて形成される。たとえば、表示パネルの表示領域（＝画像を表示する領域）の寸法および形状に応じた寸法および形状に形成される。より具体的には、表示パネルの表示領域に略等しいか、またはそれよりも少し大きい寸法および形状、たとえば、所定の縦横の寸法比を有する四辺形に形成される。
【００５０】
本体部１２１ａの外周の所定の辺（＝本体部１２１ａの所定の側面）には、光学部材支持面１２１２ａが形成される。たとえば、図１に示すように、延出部１２２ａが形成されない辺に光学部材支持面１２１２ａが形成される。光学部材支持面１２１２ａは、射出面１２１１ａに対して所定の角度だけ傾斜する面であり、斜め前面側に臨む面である。すなわち、本体部１２１ａは、背面側から前面側に向かうにしたがって、外形の寸法（＝外形の輪郭）が徐々に小さくなるような構成を有する。この光学部材支持面１２１２ａは、後述するフィルム状の光学部材１３ａを支持する機能を有する。
【００５１】
図１においては、延出部１２２ａが形成されない三辺のすべてに光学部材支持面１２１２ａが形成される構成を示すが、必ずしもすべての辺に光学部材支持面１２１２ａが形成される構成でなくてもよい。図２は、変形例にかかる導光部材１２ｂ，１２ｃを示した外観斜視図であり、図２（ａ）は、導光部材１２ｂの本体部１２１ｂの四辺のうち、延出部１２２ｂが形成される辺に対向する辺にのみ光学部材支持面１２１２ｂが形成される構成を示し、図２（ｂ）は、延出部１２２ｃが形成される辺に隣接する二辺にのみ光学部材支持面１２１２ｃが形成される構成を示す。
【００５２】
図２（ａ）に示すように、導光部材１２ｂの本体部１２１ｂの四辺のうち、延出部１２２ｂが形成される辺に対向する辺にのみ、射出面１２１１ｂに対して所定の角度をもって傾斜する光学部材支持面１２１２ｂが形成され、他の二辺には光学部材支持面１２１２ｂが形成されない（たとえば、前記他の二辺の側面は、射出面１２１１ｂに略直角な平面に形成される）構成であってもよい。また、図２（ｂ）に示すように、導光部材１２ｃの本体部１２１ｃの四辺のうち、延出部１２２ｃが形成される辺に隣接する二辺に光学部材支持面１２１２ｃが形成され、延出部１２２ｃが形成される辺に対向する辺には光学部材支持面１２１２ｃが形成されない（たとえば、延出部１２２ｃが形成される辺に対向する辺の側面は、射出面１２１１ｃに略直角な平面に形成される）構成であってもよい。また、光学部材支持面１２１２ａ，１２１２ｂ，１２１２ｃが辺の全面に形成される構成に限定されるものではなく、一部に形成される構成であってもよい。
【００５３】
なお、射出面１２１１ａ，１２１１ｂ，１２１１ｃと光学部材支持面１２１２ａ，１２１２ｂ，１２１２ｃとの境界に曲面が形成され、射出面１２１１ａ，１２１１ｂ，１２１１ｃと光学部材支持面１２１２ａ，１２１２ｂ，１２１２ｃとが滑らかに繋がる構成（＝射出面１２１１ａ，１２１１ｂ，１２１１ｃと光学部材支持面１２１２ａ，１２１２ｂ，１２１２ｃとの境界に段差や尖った角部などがない構成）であってもよい。
【００５４】
また、光学部材支持面１２１２ａ，１２１２ｂ，１２１２ｃは平面である必要はなく、たとえば曲面であってもよい。図３は、変形例にかかる導光部材１２ｄ，１２ｅ，１２ｆの構成を、模式的に示した外観斜視図である。それぞれ、図３（ａ）は、本体部１２１ｄの四辺のうち、延出部１２２ｄが形成される辺以外の三辺に曲面の光学部材支持面１２１２ｄが形成される導光部材１２ｄの構成を示し、図３（ｂ）は、本体部１２１ｅの四辺のうち、延出部１２２ｅが形成される辺に対向する辺に曲面の光学部材支持面１２１２ｅが形成される導光部材１２ｅの構成を示し、図３（ｃ）は、本体部１２１ｆの四辺のうち、延出部１２２ｆが形成される辺に隣接する二辺に曲面の光学部材支持面１２１２ｆが形成される構成を示す。図３（ａ），（ｂ），（ｃ）に示すように、光学部材支持面１２１２ｄ，１２１２ｅ，１２１２ｆが曲面に形成される構成であってもよい。そしてこのような構成においては、図３（ａ），（ｂ），（ｃ）に示すように、射出面１２１１ｄ，１２１１ｅ，１２１１ｆと光学部材支持面１２１２ｄ，１２１２ｅ，１２１２ｆとが滑らかに繋がる構成が適用できる。また、光学部材支持面１２１２ｄ，１２１２ｅ，１２１２ｆが、辺の全面に形成される構成に限定されるものではなく、辺の一部に形成される構成であってもよい。
【００５５】
フィルム状の光学部材１３ａは、透過する光の特性を調整できる光学部材である。たとえば、フィルム状の光学部材１３ａには、拡散フィルム、レンズフィルム、偏光反射フィルムなどが適用される。
【００５６】
拡散フィルムは、透過する光の面方向の強度分布を均一にする機能を有する光学部材である。拡散フィルムは、略透明な基材に、光を反射する性質を有する微粒子や、基材とは異なる屈折率を有する微粒子を混合したものを、フィルム状に形成した光学部材である。略透明な基材には、たとえばＰＥＴ（ポリエチレンテレフタレート）などの樹脂材料が適用できる。レンズフィルムは、透過する光を集光することにより、輝度の向上を図る機能を有する。レンズフィルムは、たとえば略透明な基材の層と、所定の断面形状を有し集光機能を有する層との積層構造を有する。基材の層には、たとえばＰＥＴなどの樹脂材料が適用できる。集光機能を有する層には、たとえばアクリル系の樹脂材料などが適用できる。偏光反射フィルム（「輝度向上フィルム」とも称する）は、光の有効利用を図る機能を有する光学部材である。この偏光反射フィルムは、所定の方向の偏光軸を有する光のみを透過させ、それ以外の方向の偏光軸を有する光を反射する。この偏光反射フィルムには、たとえばＤＢＥＦシリーズ（「ＤＢＥＦ」はスリーエムカンパニー社の登録商標）が好適に適用できる。
【００５７】
なお、本発明の実施形態にかかる光源装置に組み込まれるフィルム状の光学部材１３ａの種類や枚数は、特に限定されるものではない。フィルム状の光学部材１３ａの種類や枚数は、本発明の第一実施形態にかかる光源装置１ａの種類や、本発明の第一実施形態にかかる光源装置１ａが適用される表示装置などに応じて適宜設定される。
【００５８】
フィルム状の光学部材１３ａの面方向の外周の輪郭の形状および寸法は、次のとおりである。図４は、フィルム状の光学部材１３ａの形状および寸法のバリエーションを示した平面図であり、導光部材１２ａと重ね合わせて示した図である。それぞれ、図４（ａ）は、フィルム状の光学部材１３ａが略四辺形に形成される構成を示し、図４（ｂ）は、フィルム状の光学部材１３ａが略四辺形に形成されるとともに所定の角部に第一の切り欠き１３１が形成される構成を示し、図４（ｃ）は、フィルム状の光学部材１３ａがその外周に延出部１３２ａを有する構成を示す。図４（ａ）、（ｂ）、（ｃ）においては、導光部材１２ａを破線で示し、フィルム状の光学部材１３ａを実線で示す。
【００５９】
図４（ａ），（ｂ），（ｃ）に示すように、フィルム状の光学部材１３ａは、導光部材１２ａの前面に重ね合わせた場合（＝載置した場合）、その周縁部の少なくとも一部が導光部材１２ａの射出面１２１１ａの外周よりも外側にはみ出して光学部材支持面１２１２ａに重畳する寸法および形状に形成される。
【００６０】
図４（ａ）に示すフィルム状の光学部材１３ａは、導光部材１２ａの前面に重ね合わせ、その一辺を導光部材１２ａの本体部１２１ａの延出部１２２ａが形成される辺に略一致させると、他の三辺の周縁部は、射出面１２１１ａの外側にはみ出すような寸法および形状に形成される。すなわち、図４（ａ）に示すフィルム状の光学部材１３ａの外周の寸法および形状は、導光部材１２ａの本体部１２１ａの射出面１２１１ａの外周の寸法および形状よりも大きく形成される。このため、図４（ａ）に示すフィルム状の光学部材１３ａは、導光部材１２ａの本体部１２１ａの前面に重ねると、その周縁部が導光部材１２ａの本体部１２１ａの射出面１２１１ａからはみ出し、光学部材支持面１２１２ａに重畳する。このような寸法および形状に形成されると、導光部材１２ａの射出面１２１１ａから射出された光のすべてについて特性を調整することができるとともに、三辺が光学部材支持面１２１２ａにより支持される。
【００６１】
図４（ｂ）に示すフィルム状の光学部材１３ａは、導光部材１２ａの面前に重ね合わせ、その一辺を導光部材１２ａの本体部１２１ａの延出部１２２ａが形成される辺に略一致させると、他の三辺の周縁部は、射出面１２１１ａの外側にはみ出すような寸法および形状に形成される。すなわち、図４（ａ）に示すフィルム状の光学部材１３ａと略同じ形状および寸法に形成される。ただし、延出部１２２ａが形成される辺に対向する辺と、その辺に隣接する二辺との境界の角部には、面方向の内側に向かって入り込むような第一の切り欠き１３１が形成される。このような構成によれば、フィルム状の光学部材１３ａの周縁部のうち、本体部１２１ａの射出面１２１１ａからはみ出している部分を光学部材支持面１２１２ａに接触するように屈曲または湾曲させた場合であっても、前記角部およびその近傍に皺や撓みが発生することを防止できる。
【００６２】
なお、フィルム状の光学部材１３ａの各辺は、必ずしも全長にわたって導光部材１２ａの本体部１２１ａの射出面１２１１ａからはみ出している必要はない。すなわち、フィルム状の光学部材１３ａは、導光部材１２ａの本体部１２１ａの射出面１２１１ａから射出される光のうち、少なくとも特性を調整したい部分を覆うことができる寸法および形状に形成され、光学部材支持面１２１２ａに重畳する延出部１３２ａが局所的に形成される構成であってもよい。図４（ｃ）に示すように、フィルム状の光学部材１３ａには、導光部材１２ａの本体部１２１ａの射出面１２１１ａの外周の形状および寸法に略等しい寸法および形状に形成され、導光部材１２ａの本体部１２１ａの射出面１２１１ａからはみ出すような延出部１３２ａが、局所的に形成される構成が適用できる。このように、フィルム状の光学部材１３ａの所定の辺の少なくとも一部が、導光部材１２ａの本体部１２１ａの射出面１２１１ａからはみだし、光学部材支持面１２１２ａに重畳することができる構成であればよい。また、光学部材１３ａは、導光部材１２ａの本体部１２１ａの延出部１２２ａが形成される側において、その辺が一直線である必要はなく、延出部１２２ａ上に一部が重なる延出部を有する構成であってもよい。
【００６３】
また、導光部材の延出部が形成される辺にも光学部材支持面が形成される構成であってもよい。図５は、導光部材の変形例とフィルム状の光学部材の変形例を示した図であり、（ａ）は変形例にかかる導光部材１２ｇの構成を模式的に示した外観斜視図、（ｂ）は、（ａ）に示す導光部材１２ｇに適用できるフィルム状の光学部材１３ａの構成を模式的に示した平面図であり、導光部材１２ｇと重ね合わせた状態を示す。
【００６４】
図５（ａ）に示す変形例にかかる導光部材１２ｇは、本体部１２１ｇと延出部１２２ｇとを有する。本体部１２１ｇには、略平面状の射出面１２１１ｇが形成され、射出面１２１１ｇの周囲の所定の辺には、光学部材支持面１２１２ｇが形成される。なお、本体部１２１ｇの構成は、前記導光部材１２ａ，１２ｂ，１２ｃ，１２ｄ，１２ｅ，１２ｆのいずれかと略同じ構成が適用できる。図５は、本体部１２１ｇが、導光部材１２ａの本体部１２１ａと略同じ構成を有する例を示す。ただし、延出部１２２ｇが形成される辺にも、光学部材支持面１２１２ｇが形成される。すなわち、延出部１２２ｇが形成される辺は、延出部１２２ｇを除いては、射出面１２１１ｇに所定の角度をもって傾斜する傾斜面または曲面に形成される（図５（ａ）においては、光学部材支持面１２１２ｇが、傾斜面に形成される構成を示すが、図３に示すような曲面が形成される構成も適用できる）。
【００６５】
そして、このような構成を有する導光部材１２ｇに適用できるフィルム状の光学部材１３ａは、次のような構成を有する。すなわち、図５（ｂ）に示すように、導光部材１２ｇの本体部１２１ｇの前面に重ね合わせた場合、フィルム状の光学部材１３ａのうち、導光部材１２ｇの本体部１２１ｇの光学部材支持面１２１２ｇが形成される辺に対応する辺には、導光部材１２ｇの本体部１２１ｇの射出面１２１１ｇからはみ出して光学部材支持面１２１２ｇに重畳する部分が形成される。フィルム状の光学部材１３ａのうち、導光部材１２ｇの本体部１２１ｇの延出部１２２ｇが形成される辺に対応する辺も、射出面１２１１ｇからはみ出して光学部材支持面１２１２ｇに重畳する部分を有する。
【００６６】
ただし、図５（ｂ）に示すように、延出部１２２ｇに対応する部分には、延出部１２２ｇを避けるように（＝延出部１２２ｇに重畳しないように）、第二の切り欠き１３３が形成される。これにより、当該はみ出す部分を光学部材支持面１２１２ｇに接触するように湾曲または屈曲させた場合に、光学部材支持面１２１２ｇと延出部１２２ｇとの境界およびその近傍において、フィルム状の光学部材１３ａに皺や撓みが発生することを防止することができる。
【００６７】
なお、フィルム状の光学部材１３ａの外周の最大寸法は、フィルム状の光学部材１３ａを導光部材１２ａの本体部１２１ａの前面側に重ね、導光部材１２ａの本体部１２１ａの射出面１２１１ａからはみ出す部分を光学部材支持面１２１２ａに接触するように湾曲または屈曲させた場合、導光部材１２ａの本体部１２１ａの射出面１２１１ａからはみ出す部分の最も外周が、光学部材支持面１２１２ａ（＝導光部材１２ａ，１２ｂ，１２ｃ，１２ｄ，１２ｅ，１２ｆ，１２ｇの外周）からはみ出さないような寸法に設定される。
【００６８】
また、本発明の第一実施形態にかかる光源装置１ａが、複数枚のフィルム状の光学部材１３ａを備える構成である場合には、全てのフィルム状の光学部材１３ａが前記形状および寸法に形成される構成が適用できるほか、少なくとも最も上層に位置する（＝最も前面側に配設される）一枚のフィルム状の光学部材１３ａに、前記寸法および形状に形成されるフィルム状の光学部材１３ａが適用される構成が適用できる。そして、最も上層に位置する一枚のフィルム状の光学部材１３ａ以外のフィルム状の光学部材１３ａは、必要最小限の寸法および形状に形成される構成であればよい。すなわち、最も上層に位置する一枚のフィルム状の光学部材１３ａを除いては、導光部材１２ａの本体部１２１ａの射出面１２１１ａからはみ出す部分を有していなくてもよい。具体的には、最も上層に位置するフィルム状の光学部材１３ａ以外のフィルム状の光学部材１３ａには、その外周の形状および寸法が、導光部材１２ａの本体部１２１ａの射出面１２１１ａの外周の寸法および形状に略同じに形成されるものが適用できる。また、フィルム状の光学部材１３ａは、導光部材１２ａの本体部１２１ａの延出部１２２ａが形成される側において、延出部１２２ａ上に一部が重なる延出部を有する構成であってもよい。
【００６９】
なお、前記説明においては、フィルム状の光学部材１３ａの外周の形状および寸法を、図１に示す導光部材１２ａとの関係を用いて説明したが、本発明の第一実施形態にかかる光源装置１ａに、変形例にかかる導光部材１２ｂ，１２ｃ，１２ｄ，１２ｅ，１２ｆ，１２ｇが適用される場合には、フィルム状の光学部材１３ａは、それらの変形例にかかる導光部材１２ｂ，１２ｃ，１２ｄ，１２ｅ，１２ｆ，１２ｇと前記関係を有する形状および寸法に形成される。
【００７０】
フレーム１４ａは、本発明の第一実施形態にかかる光源装置１ａの筐体となる部材である。図６は、フレーム１４ａの概略構成を模式的に示した外観斜視図であり、（ａ）は前面側から見た図、（ｂ）は背面側から見た図である。図７と図８は、フレーム１４ａの概略構成を模式的に示した断面図であり、それぞれ（ａ）は図６（ａ）のＡ−Ａ線矢視図、（ｂ）は図６（ａ）のＢ−Ｂ線矢視図である。図７に示すフレーム１４ａは、光学部材支持面１４５が略平面に形成される構成を有し、図８に示すフレーム１４ａは、光学部材支持面１４５が曲面に形成される構成を有する。
【００７１】
図６、図７、図８に示すように、フレーム１４ａは、所定の厚さ寸法と所定の外形を有する部材であり、その面方向の内側には、前面側から背面側にかけて貫通する開口部が形成される。この開口部は、光源１１および導光部材１２ａ，１２ｂ，１２ｃ，１２ｄ，１２ｅ，１２ｆ，１２ｇを配置する領域であり、導光部材１２ａ，１２ｂ，１２ｃ，１２ｄ，１２ｅ，１２ｆ，１２ｇの少なくとも一部（具体的には、本体部１２１ａ，１２１ｂ，１２１ｃ，１２１ｄ，１２１ｅ，１２１ｆ，１２１ｇに形成される光学部材支持面１２１２ａ，１２１２ｂ，１２１２ｃ，１２１２ｄ，１２１２ｅ，１２１２ｆ，１２１２ｇ）が収納可能に形成される。本発明の実施形態においては、導光部材１２ａ，１２ｂ，１２ｃ，１２ｄ，１２ｅ，１２ｆ，１２ｇの全体を収納可能に形成される構成を示す。このため、図６（ａ），（ｂ）に示すように、この開口部は、導光部材１２ａ，１２ｂ，１２ｃ，１２ｄ，１２ｅ，１２ｆ，１２ｇの射出面側の外形の寸法および形状と略同じ形状および寸法に形成される。具体的にはたとえば、図６（ａ），（ｂ）に示すように、導光部材１２ａ，１２ｂ，１２ｃ，１２ｄ，１２ｅ，１２ｆ，１２ｇが略四辺形に形成される構成であれば、フレーム１４ａは、その外形が略四辺形に形成され、開口した略四辺形の額縁状の構成を有する。
【００７２】
なお、フレーム１４ａの材質は特に限定されるものではない。たとえばポリカーボネート（ＰＣ）などの樹脂材料により形成される構成が適用できる。
【００７３】
そして、フレーム１４ａの四辺の前面には、表示パネルの周縁部を支持するための表示パネル支持面１４１が形成される。表示パネル支持面１４１の外周には、表示パネルを位置決めするための立壁状の位置決め突起１４２が前面側に向かって突起するように形成される。たとえば、位置決め突起１４２は、図６（ａ）に示すように、表示パネル支持面１４１の外周を囲繞するような立壁状に形成される構成が適用できる。このほか、局所的に位置決め突起１４２が形成される構成が適用できる。また、フレーム１４ａの背面側には、反射板１５を位置決めして取り付けるための反射板取付面１４３および位置決め片１４４が形成される。
【００７４】
このように、フレーム１４ａの開口部の内周側に、光学部材支持面１４５および表示パネル支持面１４１が設けられる。そして、表示パネル支持面１４１の背面側に光学部材支持面１４５が形成されるという構成を有する。
【００７５】
そして、特に図６（ｂ）、図７（ａ），（ｂ）、図８（ａ），（ｂ）に示すように、開口部の内周には、光学部材支持面１４５が形成される。この光学部材支持面１４５は、開口部に導光部材１２ａ，１２ｂ，１２ｃ，１２ｄ，１２ｅ，１２ｆ，１２ｇを収納した場合、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇに所定の距離をおいて対向するように形成される。
【００７６】
したがって、導光部材１２ａ，１２ｂ，１２ｃ，１２ｇの本体部１２１ａ，１２１ｂ，１２１ｃ，１２１ｇの光学部材支持面１２１２ａ，１２１２ｂ，１２１２ｃ，１２１２ｇが所定の角度を有する傾斜面に形成される構成であれば、図７（ａ），（ｂ）に示すように、フレーム１４ａの光学部材支持面１４５も、所定の角度を有する傾斜面に形成される。また、光学部材支持面１２１２ｄ，１２１２ｅ，１２１２ｆが曲面に形成される構成であれば、図８（ａ），（ｂ）に示すように、フレーム１４ａの光学部材支持面１４５も、曲面に形成される。そして、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇが、フレーム１４ａの光学部材支持面１４５に、所定の距離をもって略平行に対向する。
【００７７】
前記「所定の距離」は、本発明の第一実施形態にかかる光源装置１ａに組み込まれるフィルム状の光学部材１３ａの種類および数に応じて設定される。具体的にはたとえば、全てのフィルム状の光学部材１３ａが、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇに重ね合わせた場合に、射出面１２１１ａ，１２１１ｂ，１２１１ｃ，１２１１ｄ，１２１１ｅ，１２１１ｆ，１２１１ｇからはみ出す部分を有する場合には、フィルム状の光学部材１３ａの厚さの合計と略同じか、またはそれより少し大きい寸法に設定される。また、本発明の第一実施形態にかかる光源装置１ａに組み込まれる複数枚のフィルム状の光学部材１３ａの一部が、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇに重ね合わせた場合に、射出面１２１１ａ，１２１１ｂ，１２１１ｃ，１２１１ｄ，１２１１ｅ，１２１１ｆ，１２１１ｇからはみ出す部分を有する場合には、当該はみ出す部分を有するフィルム状の光学部材１３ａの厚さの合計と略同じか、またはそれより少し大きい寸法に設定される。
【００７８】
反射板１５は、導光部材１２ａ，１２ｂ，１２ｃ，１２ｄ，１２ｅ，１２ｆ，１２ｇの背面側に漏れた光を反射して導光部材１２ａ，１２ｂ，１２ｃ，１２ｄ，１２ｅ，１２ｆ，１２ｇに戻すことにより光の有効利用を図る機能を有する部材である。このため、この反射板１５の前面の少なくとも導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇに対向または接触する領域は、光の反射率が大きい表面性状に形成される。たとえば、反射板１５の前面側の所定の領域に、金属箔などが形成される構成や、アルミテープなどが貼り付けられる構成が適用される。
【００７９】
このような部材を有する本発明の第一実施形態にかかる光源装置１ａの組み付け構成は、次のとおりである。図９と図１０は、本発明の第一実施形態にかかる光源装置１ａの断面構造を、模式的に示した断面図である。図９は、フレーム１４ａの光学部材支持面１４５および導光部材１２ａ，１２ｂ，１２ｃ，１２ｇの光学部材支持面１２１２ａ，１２１２ｂ，１２１２ｃ，１２１２ｇが略平面に形成される構成を示す。図１０は、フレーム１４ａの光学部材支持面１４５および導光部材１２ｄ，１２ｅ，１２ｆの光学部材支持面１２１２ｄ，１２１２ｅ，１２１２ｆが略平面に形成される構成を示す。
【００８０】
導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの前面側に、フィルム状の光学部材１３ａが載置される。本発明の第一実施形態にかかる光源装置１ａが複数枚のフィルム状の光学部材１３ａを有する場合には、これら複数枚のフィルム状の光学部材１３ａが、積み重ねられるように載置される。そして、その状態で、導光部材１２ａ，１２ｂ，１２ｃ，１２ｄ，１２ｅ，１２ｆ，１２ｇおよびフィルム状の光学部材１３ａが、背面側からフレーム１４ａの開口部に収納される。
【００８１】
このような構成であると、フィルム状の光学部材１３ａのうち、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの射出面１２１１ａ，１２１１ｂ，１２１１ｃ，１２１１ｄ，１２１１ｅ，１２１１ｆ，１２１１ｇから外側にはみ出している部分が、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇと、フレーム１４ａの光学部材支持面１４５との間に位置し、これらの光学部材支持面１２１２ａ，１２１２ｂ，１２１２ｃ，１２１２ｄ，１２１２ｅ，１２１２ｆ，１２１２ｇ，１４５に挟まれるように支持される。
【００８２】
なお、外周に延出部１３２ａが形成されるフィルム状の光学部材１３ａ（図４（ｃ）参照）が適用される場合には、延出部１３２ａが、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇと、フレーム１４ａの光学部材支持面１４５との間に位置する。
【００８３】
また、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇと、フレーム１４ａの開口部の光学部材支持面１４５との間の距離が、前記「所定の距離」に設定されるから、フィルム状の光学部材１３ａの前記はみ出す部分（または延出部１３２ａ）は、これらの支持面１２１２ａ，１２１２ｂ，１２１２ｃ，１２１２ｄ，１２１２ｅ，１２１２ｆ，１２１２ｇ，１４５の間に無理なく入り込むことができる。したがって、フィルム状の光学部材１３ａに皺や撓みが発生することを防止できる。
【００８４】
前記のように、複数枚のフィルム状の光学部材１３ａが配設される構成においては、少なくとも一枚のフィルム状の光学部材１３ａが、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇからはみ出す部分を有するものであればよい。すなわち、フィルム状の光学部材１３ａのうちの少なくとも一枚が、前記の形状および寸法（図４，図５参照）に形成されるものであればよい。そして、この場合には、前記の形状および寸法に形成されるフィルム状の光学部材１３ａが、最も上層（＝最も前面側）に位置するように積み重ねられる。換言すると、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇからはみ出す部分を有しないフィルム状の光学部材１３ａが、最も上層に位置しないように積み重ねられる。
【００８５】
なお、少なくとも最も上層に位置するフィルム状の光学部材１３ａが、前記はみ出す部分（または延出部１３２ａ）を有しているものであればよく、それ以外のフィルム状の光学部材１３ａの構成は限定されるものではない。
【００８６】
そして、フレーム１４ａの開口部の所定の位置（具体的にはたとえば、導光部材１２ａ，１２ｂ，１２ｃ，１２ｄ，１２ｅ，１２ｆ，１２ｇの延出部１２２ａ，１２２ｂ，１２２ｃ，１２２ｄ，１２２ｅ，１２２ｆ，１２２ｇの先端を臨む位置）に光源１１が配設される。また、導光部材１２ａ，１２ｂ，１２ｃ，１２ｄ，１２ｅ，１２ｆ，１２ｇの背面側に反射板１５が配設される。
【００８７】
このように、本発明の第一実施形態にかかる光源装置１ａは、フィルム状の光学部材１３ａの周縁部を、所定の角度だけ背面側に傾斜させた状態で支持する。このため、フィルム状の光学部材１３ａの前面を、本発明の第一実施形態にかかる光源装置１ａの最も前面側またはその近傍に位置させることができるから、本発明の第一実施形態にかかる光源装置１ａの厚さ寸法を小さくすることができる。
【００８８】
また、フィルム状の光学部材１３ａの周縁部は、本発明の第一実施形態にかかる光源装置１ａのフレーム１４ａの光学部材支持面１４５と、導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇとの間に挟まれた状態に維持される。このため、フィルム状の光学部材１３ａが、本発明の第一実施形態にかかる光源装置１ａのフレーム１４ａの表示パネル支持面１４１に乗り上げることがない。したがって、たとえば、本発明の第一実施形態にかかる光源装置１ａのフレーム１４ａの表示パネル支持面１４１に両面テープを貼り付ける作業において、フィルム状の光学部材１３ａが作業を阻害することがない。たとえば、フィルム状の光学部材１３ａの周縁部が、両面テープを貼り付ける作業の邪魔になることや、本発明の第一実施形態にかかる光源装置１ａのフレーム１４ａの表示パネル支持面１４１に貼り付けた両面テープに、フィルム状の光学部材１３ａが貼り付くことがない。
【００８９】
また、リワークなどにおいて、本発明の第一実施形態にかかる光源装置１ａのフレーム１４ａの表示パネル支持面１４１に貼り付けられた両面テープを剥がす際に、フィルム状の光学部材１３ａがリワークの作業を阻害することがなくなる。すなわち、フィルム状の光学部材１３ａの周縁部は、本発明の第一実施形態にかかる光源装置１ａのフレーム１４ａの光学部材支持面１４５と導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇとの間に位置しているから、フィルム状の光学部材１３ａが作業の邪魔にならない。このため、リワークの作業性の向上を図ることができる。
【００９０】
なお、前記のように、本発明の第一実施形態にかかる光源装置１ａが複数枚のフィルム状の光学部材１３ａを有し、最も前面側に、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの射出面１２１１ａ，１２１１ｂ，１２１１ｃ，１２１１ｄ，１２１１ｅ，１２１１ｆ，１２１１ｇからはみ出す部分を有するフィルム状の光学部材１３ａが載置される構成であれば、他のフィルム状の光学部材１３ａが前記はみ出す部分を有していなくても、前記同様の作用効果を奏することができる。
【００９１】
すなわち、積み重ねられるように配設されるフィルム状の光学部材１３ａのうち、少なくとも最も前面側に配設される一枚のフィルム状の光学部材１３ａが前記はみ出す部分を有しいてれば、当該一枚のフィルム状の光学部材１３ａの前記はみ出す部分が、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇと、フレーム１４ａの開口部の光学部材支持面１４５との間に位置して支持される。このため、それ以外のフィルム状の光学部材１３ａの周縁部は、最も前面側に配設されるフィルム状の光学部材１３ａの前記はみ出す部分によって、フレーム１４ａの表示パネル支持面１４１の前面側に乗り上げることが防止される。したがって、前記同様の作用効果を奏することができる。
【００９２】
次に、本発明の第二実施形態にかかる光源装置１ｂについて説明する。図１１は、本発明の第二実施形態にかかる光源装置１ｂの構成を模式的に示した分解斜視図である。本発明の第二実施形態にかかる光源装置１ｂは、本発明の第一実施形態にかかる光源装置１ａとは、主にフレーム１４ｂの構成と、フィルム状の光学部材１３ｂの形状が相違し、その他は共通の構成を有する。このため、以下の説明においては、本発明の第一実施形態にかかる光源装置１ａと相違する部分について主に説明し、共通する構成については説明を省略することがある。
【００９３】
図１１に示すように、本発明の第二実施形態にかかる光源装置１ｂは、光源１１と、前記いずれかの導光部材１２ａ，１２ｂ，１２ｃ，１２ｄ，１２ｅ，１２ｆ，１２ｇと、所定の種類および所定の枚数のフィルム状の光学部材１３ｂと、フレーム１４ｂと、反射板１５とを有する。
【００９４】
光源１１、導光部材１２ａ，１２ｂ，１２ｃ，１２ｄ，１２ｅ，１２ｆ，１２ｇ、フィルム状の光学部材１３ｂの種類や枚数（ただし、形状および寸法については相違する部分を有する。これについては後述する。）、反射板１５は、本発明の第一実施形態にかかる光源装置１ａと同じ構成を有するものが適用できる。したがって説明は省略する。
【００９５】
フィルム状の光学部材１３ｂの面方向の外周の輪郭の形状および寸法は、次のとおりである。図１２は、フィルム状の光学部材１３ｂの形状および寸法を示した平面図であり、導光部材１２ａと重ね合わせて示した図である。具体的には、図１２（ａ）は、延出部１３２ｂを有するフィルム状の光学部材１３ｂを示し、図１２（ｂ）は、延出部１３２ｂを有さないフィルム状の光学部材１３ｂを示す。図１２においては、導光部材１２ａを破線で示し、フィルム状の光学部材１３ｂを実線で示す。
【００９６】
本発明の第二実施形態にかかる光源装置１ｂは、少なくとも一枚の延出部１３２ｂを有するフィルム状の光学部材１３ｂを有する。すなわち、図１２（ａ）に示すように、少なくとも一枚のフィルム状の光学部材１３ｂは、導光部材１２ａの前面に重ね合わせた場合（＝載置した場合）、その周縁部の一部が導光部材１２ａの射出面１２１１ａの外周よりも外側にはみ出して光学部材支持面１２１２ａに重畳する寸法および形状に形成される。具体的には、フィルム状の光学部材１３ｂが、導光部材１２ａの本体部１２１ａの射出面１２１１ａの外周の形状および寸法に略等しいかまたはそれより少し大きい寸法および形状（ただし、後述するフレーム１４ｂの開口部に皺や撓みが無い状態で収めることができる寸法および形状）に形成され、導光部材１２ａの本体部１２１ａの射出面１２１１ａからはみ出すような延出部１３２ｂが局所的に形成される。
【００９７】
延出部１３２ｂの形状は、特に限定されるものではない。たとえば、図１２（ａ）に示すような略四辺形や、図４（ｃ）に示すフィルム状の光学部材１３ａの延出部１３２ａのように、略半円形状などが適用できる。また、延出部１３２ｂが形成される位置や、延出部１３２ｂの数も特に限定されるものではない。
【００９８】
このように、フィルム状の光学部材１３ｂは、導光部材１２ａの本体部１２１ａの射出面１２１１ａから射出される光のうち、少なくとも特性を調整したい部分を覆うことができる寸法および形状に形成され、光学部材支持面１２１２ａに重畳する延出部１３２ｂが局所的に形成される構成を有する。
【００９９】
なお、本発明の第二実施形態にかかる光源装置１ｂが、複数枚のフィルム状の光学部材１３ｂを有する場合には、複数枚のフィルム状の光学部材１３ｂのうちの少なくとも一枚が延出部１３２ｂを有する構成であればよい。そして、それ以外のフィルム状の光学部材１３ｂは、図１２（ｂ）に示すように、延出部１３２ｂを有さず、導光部材１２ａの本体部１２１ａの射出面１２１１ａの外周の形状および寸法に略等しいかまたはそれより少し大きい寸法および形状（ただし、後述するフレーム１４ｂの開口部に皺や撓が無い状態で収めることができる寸法および形状）に形成される構成が適用できる。
【０１００】
なお、フィルム状の光学部材１３ｂの外周の最大寸法は、フィルム状の光学部材１３ｂを導光部材１２ａの本体部１２１ａの前面側に重ね、導光部材１２ａの本体部１２１ａの射出面１２１１ａからはみ出す部分を光学部材支持面１２１２ａに接触するように湾曲または屈曲させた場合、導光部材１２ａの本体部１２１ａの射出面１２１１ａからはみ出す部分の最も外周が、導光部材１２ａからはみ出さないような寸法に設定される。
【０１０１】
また、前記説明においては、フィルム状の光学部材１３ｂの外周の形状および寸法を、図１に示す導光部材１２ａとの関係を用いて説明したが、本発明の第二実施形態にかかる光源装置１ｂに、変形例にかかる導光部材１２ｂ，１２ｃ，１２ｄ，１２ｅ，１２ｆ，１２ｇが適用される場合には、フィルム状の光学部材１３ｂは、それらの変形例にかかる導光部材１２ｂ，１２ｃ，１２ｄ，１２ｅ，１２ｆ，１２ｇと前記関係を有する形状および寸法に形成される。
【０１０２】
フレーム１４ｂは、本発明の第二実施形態にかかる光源装置１ｂの筐体となる部材である。図１３は、フレーム１４ｂの概略構成を模式的に示した外観斜視図であり、（ａ）は前面側から見た図、（ｂ）は背面側から見た図である。図１４は、フレーム１４ｂの概略構成を模式的に示した断面図であり、（ａ）は図１３（ｂ）のＣ−Ｃ線矢視図、（ｂ）は図１３（ｂ）のＤ−Ｄ線矢視図である。
【０１０３】
図１３と図１４に示すように、フレーム１４ｂは、全体的には、本発明の第一実施形態にかかる光源装置１ａのフレーム１４ａと同じ構成を有する。すなわち、光源１１および導光部材１２ａ，１２ｂ，１２ｃ，１２ｄ，１２ｅ，１２ｆ，１２ｇを収容可能な開口部が形成される構成、開口部の内周の前面側に表示パネル支持面１４１が形成される構成などは、本発明の第一実施形態にかかる光源装置１ａのフレーム１４ａと共通する。
【０１０４】
そして、図１３、図１４に示すように、開口部の内周には、光学部材支持面１４５と移動規制面１４７とが形成される。
【０１０５】
光学部材支持面１４５は、開口部に導光部材１２ａ，１２ｂ，１２ｃ，１２ｄ，１２ｅ，１２ｆ，１２ｇを収納した場合、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇに接触するか、または微小な距離（＝フィルム状の光学部材１３ｂの厚さよりも小さい距離。すなわち、フィルム状の光学部材１３ｂが入り込むことができない距離）をおいて対向するように形成される。
【０１０６】
したがって、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇが所定の角度を有する傾斜面または曲面に形成される構成であれば、図１３、図１４に示すように、フレーム１４ａの光学部材支持面１４５も、所定の角度を有する傾斜面または曲面に形成される。そして、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇが、フレーム１４ａの光学部材支持面１４５に接触するか、前記微小な距離をもって略平行に対向する。
【０１０７】
さらに、光学部材支持面１４５の所定の位置には、所定の寸法および形状を有する係合凹部１４６が形成される。この係合凹部１４６は、光学部材支持面１４５から段差状に窪んだ部分であり、本発明の第二実施形態にかかる光源装置１ｂが組み付けられた状態において、フィルム状の光学部材１３ｂに形成される延出部１３２ｂが形成される位置に、延出部１３２ｂと係合可能な寸法および形状（＝延出部を納めることができる寸法および形状）に形成される。
【０１０８】
係合凹部１４６の深さ（＝光学部材支持面１４５と係合凹部１４６の底面との距離）は、フレーム１４ｂに導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇが収容された状態で、導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇとフレーム１４ｂの係合凹部１４６の底面との間の距離が「所定の距離」となる深さにされる。
【０１０９】
具体的な「所定の距離」は、本発明の第二実施形態にかかる光源装置１ｂに組み込まれる全てのフィルム状の光学部材１３ｂが延出部１３２ｂを有する場合には、フィルム状の光学部材１３ｂの厚さの合計と略同じか、またはそれより少し大きい寸法に設定される。また、本発明の第二実施形態にかかる光源装置１ｂに組み込まれる複数枚のフィルム状の光学部材１３ｂの一部が延出部１３２ｂを有する場合には（＝延出部１３２ｂを有さないフィルム状の光学部材１３ｂが含まれる場合には）、延出部１３２ｂを有するフィルム状の光学部材１３ｂの厚さの合計と略同じか、またはそれより少し大きい寸法に設定される。
【０１１０】
移動規制面１４７は、フレーム１４ｂにフィルム状の光学部材１３ｂと導光部材１２ａ，１２ｂ，１２ｃ，１２ｄ，１２ｅ，１２ｆ，１２ｇを組み付けた状態で、フィルム状の光学部材１３ｂの周縁部（＝面方向の端面）のうち、延出部１３２ｂ以外の部分に対向する面である。この移動規制面１４７は、たとえば、表示パネル支持面１４１に略直角な平面に形成される。したがって、移動規制面１４７に囲繞される領域の形状および寸法（すなわち、開口部の形状および寸法）は、フィルム状の光学部材１３ｂのうち延出部１３２ｂを除く部分を皺や撓みが発生することなく収容できる形状および寸法に形成される。具体的には、フレーム１４ｂに形成される開口部の形状および寸法は、フィルム状の光学部材１３ｂの延出部１３２ｂを除く部分の形状および寸法と略同じか、それよりも少し大きい寸法および形状に形成される。
【０１１１】
なお、係合凹部１４６の寸法および形状は、特に限定されるものではない。以下に、係合凹部の変形例を示す。図１５は、変形例に係る係合凹部１４６’が形成されたフレーム１４ｂの構成と、このフレーム１４ｂに適用できるフィルム状の光学部材１３ａの構成を、模式的に示した図である。具体的には、図１５（ａ）は、フレーム１４ｂの構成を模式的に示した外観斜視図であって背面側から見た図であり、図１５（ｂ）は、このフレーム１４ｂに適用できるフィルム状の光学部材１３ａの構成を、導光部材１２ａに重ね合わせて示した平面図である。
【０１１２】
図１５（ａ）に示すように、フレーム１４ｂの内周の各辺の略全長にわたって係合凹部１４６’が形成される構成であってもよい。そして、このような構成のフレーム１４ｂには、図１５（ｂ）に示すような構成のフィルム状の光学部材１３ａが適用できる。このフィルム状の光学部材１３ａは、図４（ｂ）に示すフィルム状の光学部材１３ａと略同じ構成を有する（したがって説明は省略する）。このような構成のフレーム１４ｂとフィルム状の光学部材１３ａの組合せによれば、フレーム１４ｂにフィルム状の光学部材１３ａおよび導光部材１２ａを組み付けると、フィルム状の光学部材１３ａの周縁部（導光部材１２ａと重ね合わせた場合において、導光部材１２ａの射出面１２１１ａからはみ出す部分）が、フレーム１４ｂに形成される係合凹部１４６’に係合する。また、フレーム１４ｂに形成される光学部材支持面１４５は、導光部材１２ａの光学部材支持面１２１２ａに接触するか、所定の微小な距離をおいて対向する。このように、係合凹部１４６’が、フレーム１４ｂの内周の各辺の略全長にわたって形成される構成であってもよい。
【０１１３】
また、図１３〜図１５においては、係合凹部１４６，１４６’が、フレーム１４ｂの表示パネル支持面１４１から反射板取付面１４３に跨って形成される構成（換言すると、光学部材支持面１４５の前後方向の全長にわたって形成される構成）を示したが、係合凹部１４６，１４６’は、必ずしも反射板取付面１４３にまで達する構成である必要はない。図１６は、反射板取付面１４３にまで達していない係合凹部１４６”，１４６’”が形成されるフレーム１４ｂの構成を模式的に示した外観斜視図であり、背面側から見た図である。具体的には、図１６（ａ）は、光学部材支持面１４５の局所的な部分に係合凹部１４６”が形成される構成を有するフレーム１４ｂを示し、図１６（ｂ）は、開口部の内周の各辺の略全長にわたって係合凹部１４６’”が形成されるフレーム１４ｂを示す。図１６（ａ）に示すフレーム１４ｂには、図１２（ａ）に示す構成を有するフィルム状の光学部材１３ｂが適用できる。図１６（ｂ）に示すフレーム１４ｂには、図１５（ｂ）に示す構成を有するフィルム状の光学部材１３ｂが適用できる。このように、図１６（ａ）（ｂ）に示すように、係合凹部１４６”，１４６’”は、反射板取付面１４３に達せずに、光学部材支持面１４５の前後方向の中間位置にまで形成される構成であってもよい。
【０１１４】
以上のように、係合凹部１４６，１４６’，１４６”，１４６’”の構成は限定されるものではなく、フィルム状の光学部材１３ａ，１３ｂのうち、導光部材１２ａ，１２ｂ，１２ｃ，１２ｄ，１２ｅ，１２ｆ，１２ｇに重ね合わせた場合に射出面１２１１ａ，１２１１ｂ，１２１１ｃ，１２１１ｄ，１２１１ｅ，１２１１ｆ，１２１１ｇからはみ出す部分や延出部１３２ａ，１３２ｂの寸法および形状に応じて設定できる。このほかにたとえば、図４（ｃ）に示すフィルム状の光学部材１３ａが適用される場合には、略半円形状の係合凹部が形成される構成が適用できる。要は、係合凹部１４６，１４６’，１４６”，１４６’”は、フィルム状の光学部材１３ａ，１３ｂのうち、導光部材１２ａ，１２ｂ，１２ｃ，１２ｄ，１２ｅ，１２ｆ，１２ｇに重ね合わせた場合に射出面１２１１ａ，１２１１ｂ，１２１１ｃ，１２１１ｄ，１２１１ｅ，１２１１ｆ，１２１１ｇからはみ出す部分や延出部１３２ａ，１３２ｂを収納することができる寸法および形状であればよい。
【０１１５】
そして、係合凹部１４６，１４６’，１４６”，１４６’”がフィルム状の光学部材１３ａ，１３ｂを位置決めする機能や位置ずれを防止する機能を有するためには、係合凹部１４６，１４６’，１４６”，１４６’”が、導光部材１２ａ，１２ｂ，１２ｃ，１２ｄ，１２ｅ，１２ｆ，１２ｇに重ね合わせた場合に射出面１２１１ａ，１２１１ｂ，１２１１ｃ，１２１１ｄ，１２１１ｅ，１２１２ｆ，１２１１ｇからはみ出す部分や延出部１３２ａ，１３２ｂの寸法および形状よりも少し大きい寸法および形状に形成される構成であればよい。すなわち、フィルム状の光学部材１３ａ，１３ｂの導光部材１２ａ，１２ｂ，１２ｃ，１２ｄ，１２ｅ，１２ｆ，１２ｇに重ね合わせた場合に射出面１２１１ａ，１２１１ｂ，１２１１ｃ，１２１１ｄ，１２１１ｅ，１２１１ｆ，１２１１ｇからはみ出す部分や延出部１３２ａ，１３２ｂが、係合凹部１４６，１４６’，１４６”，１４６’”に係合した状態において、当該はみ出す部分や延出部１３２ａ，１３２ｂの面方向の端面が、係合凹部１４６，１４６’，１４６”，１４６’”と光学部材支持面１４５との間の段差面とに所定の距離（＝寸法公差や変形などのマージンなどを考慮した距離）をおいて対向する構成となればよい。
【０１１６】
このような部材を有する本発明の第二実施形態にかかる光源装置１ｂの組み付け構成は、次のとおりである。図１７は、本発明の第二実施形態にかかる光源装置１ｂの断面構造を、模式的に示した断面図である。なお、図１７においては、図１または図２（ｂ）に示す導光部材１２ａ，１２ｂが適用される構成を示すが、他の変形例にかかる導光部材１２ｃ，１２ｄ，１２ｅ，１２ｆ，１２ｇも同様に適用できる。
【０１１７】
導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの前面側に、フィルム状の光学部材１３ｂが載置される。本発明の第二実施形態にかかる光源装置１ｂが複数枚のフィルム状の光学部材１３ｂを有する場合には、これら複数枚のフィルム状の光学部材１３ｂが、積み重ねられるように載置される。そして、その状態で、導光部材１２ａ，１２ｂ，１２ｃ，１２ｄ，１２ｅ，１２ｆ，１２ｇおよびフィルム状の光学部材１３ｂが、背面側からフレーム１４ｂの開口部に収納される。
【０１１８】
このような構成であると、フィルム状の光学部材１３ｂの延出部１３２ｂが、フレーム１４ｂの光学部材支持面１４５に形成される係合凹部１４６に係合する。また、フィルム状の光学部材１３ｂの面方向の周縁部は、フレーム１４ｂに形成される移動規制面１４７に対向する。このため、フィルム状の光学部材１３ｂは、フレーム１４ｂに形成される係合凹部１４６と移動規制面１４７とにより、面方向の位置決めがなされる。したがって、フィルム状の光学部材１３ｂの位置決めが容易となる。
【０１１９】
また、フィルム状の光学部材１３ｂの延出部１３２ｂは、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇと、フレーム１４ｂの光学部材支持面１４５に形成される係合凹部１４６の底面との間に位置し、これらの光学部材支持面１２１２ａ，１２１２ｂ，１２１２ｃ，１２１２ｄ，１２１２ｅ，１２１２ｆ，１２１２ｇと係合凹部１４６の底面との間に挟まれるように支持される。
【０１２０】
また、導光部材１２ａ，１２ｂ，１２ｃ，１２ｄ，１２ｅ，１２ｆ，１２ｇの本体部１２１ａ，１２１ｂ，１２１ｃ，１２１ｄ，１２１ｅ，１２１ｆ，１２１ｇの光学部材支持面１２１２ａ，１２１２ｂ，１２１２ｃ，１２１２ｄ，１２１２ｅ，１２１２ｆ，１２１２ｇと、フレーム１４ｂの光学部材支持面１４５の係合凹部１４６の底面との間の距離が、前記「所定の距離」に設定されるから、フィルム状の光学部材１３ｂの延出部１３２ｂが、導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇと、係合凹部１４６の底面との間に無理なく入り込むことができる。したがって、フィルム状の光学部材１３ｂに皺や撓みが発生することを防止できる。
【０１２１】
そして、導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇと、フレーム１４ｂに形成される光学部材支持面１４５とは接触するか、前記微小な距離をおいて対向するから、これらの間にフィルム状の光学部材１３ｂが入り込むことはない。したがって、フィルム状の光学部材１３ｂは、係合凹部１４６により位置決めされた状態に維持され、位置ずれが防止される。
【０１２２】
前記のように、複数枚のフィルム状の光学部材１３ｂが配設される構成においては、少なくとも一枚のフィルム状の光学部材１３ｂが延出部１３２ｂを有していればよい。そして、この場合には、延出部１３２ｂを有するフィルム状の光学部材１３ｂが、最も上層（＝最も前面側）に位置するように積み重ねられる。換言すると、延出部１３２ｂを有しないフィルム状の光学部材１３ｂが、最も上層に位置しないように積み重ねられる。
【０１２３】
なお、少なくとも最も上層に位置するフィルム状の光学部材１３ｂが、前記はみ出す部分（または延出部１３２ｂ）を有しているものであればよく、それ以外のフィルム状の光学部材１３ｂの構成は限定されるものではない。
【０１２４】
そして、フレーム１４ｂの開口部の所定の位置（具体的にはたとえば、導光部材１２ａ，１２ｂ，１２ｃ，１２ｄ，１２ｅ，１２ｆ，１２ｇの延出部１２２ａ，１２２ｂ，１２２ｃ，１２２ｄ，１２２ｅ，１２２ｆ，１２２ｇの先端を臨む位置）に光源１１が配設される。また、導光部材１２ａ，１２ｂ，１２ｃ，１２ｄ，１２ｅ，１２ｆ，１２ｇの背面側に反射板１５が配設される。
【０１２５】
本発明の第二実施形態にかかる光源装置１ｂによれば、本発明の第一実施形態にかかる光源装置１ａと同様の作用効果を奏することができる。また、フレーム１４ｂに形成される移動規制面１４７と係合凹部１４６とにより、フィルム状の光学部材１３ｂが位置決めされる。このため、フィルム状の光学部材１３ｂの位置決めが容易であるとともに、フィルム状の光学部材１３ｂの位置ずれを防止できる。
【０１２６】
次に、本発明の実施形態にかかる表示装置２について説明する。本発明の実施形態にかかる表示装置２は、表示パネルとして透過型または半透過型の液晶表示パネルを備え、光源装置として本発明のいずれかの実施形態にかかる光源装置１ａ，１ｂを備える液晶表示装置である。
【０１２７】
図１８は、本発明の実施形態にかかる表示装置２の構成を、模式的に示した分解斜視図である。図１８に示すように、本発明の実施形態にかかる表示装置２は、本発明のいずれかの実施形態にかかる光源装置１ａ，１ｂと、表示パネル２１と、また、たとえば、ケース２２，２３とを備える。
【０１２８】
表示パネル２１には、従来一般の透過型または半透過型の液晶表示パネルが適用できる。したがって、説明は省略する。ケース２２，２３は、本発明の実施形態にかかる表示装置２の筐体となる部材であり、表示パネル２１や本発明のいずれかの実施形態にかかる光源装置１ａ，１ｂを収納することができる部材である。ケース２２，２３は、前記のように、本発明のいずれかの実施形態にかかる光源装置１ａ，１ｂおよび表示パネル２１を収容でき、その状態で表示パネル２１の表示領域が外部から視認可能となる構成を有するものであればよく、構成は限定されるものではない。たとえば、図１８に示すように、底の浅いトレイ状の構造を有する背面側ケース２３と、底の浅いトレイ状の構造を有し、トレイの底面に相当する部分に表示パネル２１の表示領域を視認可能に露出させるための開口が形成される前面側ケース２２とを有する構成などが適用できる。なお、ケースは必ずしも必要ではない。
【０１２９】
このような部材を有する本発明の実施形態にかかる表示装置２の組み付け構成は、次のとおりである。図１８に示すように、本発明のいずれかの実施形態にかかる光源装置１ａ，１ｂのフレーム１４ａ，１４ｂの表示パネル支持面１４１に、両面テープ２４を貼り付ける。そしてその前面側から、表示パネル２１を載置する。すなわち、表示パネル２１の背面の周縁部（表示領域の外側。すなわち、いわゆるパネル額縁領域）を両面テープに貼り付ける。これにより、表示パネル２１は、本発明のいずれかの実施形態にかかる光源装置１ａ，１ｂ（のフレーム１４ａ，１４ｂ）に固定される。そして、表示パネル２１が固定された本発明のいずれかの実施形態にかかる光源装置１ａ，１ｂを、前面側ケース２２と背面側ケース２３とによって、前面側および背面側から挟み込むように収納する。
【０１３０】
このような構成の本発明の実施形態にかかる表示装置２によれば、フィルム状の光学部材１３ａ，１３ｂは、その周縁部が所定の角度だけ背面側に傾斜させた状態で支持される。このため、表示パネル２１とフィルム状の光学部材１３ａ，１３ｂとを近接または接触させることができ、表示パネル２１とフィルム状の光学部材１３ａ，１３ｂとの間を離間させる必要がない。このため、本発明の実施形態にかかる表示装置２の厚さを薄くすることができる。
【０１３１】
また、フィルム状の光学部材１３ａ，１３ｂの周縁部は、本発明のいずれかの実施形態にかかる光源装置１ａ，１ｂのフレーム１４ａ，１４ｂの光学部材支持面１４５と、導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇ（または係合凹部１４６，１４６’，１４６”，１４６’”の底面）との間に挟まれた状態に維持されている。このため、フィルム状の光学部材１３ａ，１３ｂが、本発明のいずれかの実施形態にかかる光源装置１ａ，１ｂのフレーム１４ａ，１４ｂの表示パネル支持面１４１に乗り上げることがない。したがって、本発明の実施形態にかかる表示装置２を組み立てる作業において、本発明のいずれかの実施形態にかかる光源装置１ａ，１ｂのフレーム１４ａ，１４ｂの表示パネル支持面１４１に両面テープ２４を貼り付ける際に、フィルム状の光学部材１３ａ，１３ｂが作業の阻害要因となることがない。たとえば、フィルム状の光学部材１３ａ，１３ｂの周縁部が、両面テープ２４を貼り付ける作業の邪魔になることや、本発明のいずれかの実施形態にかかる光源装置１ａ，１ｂのフレーム１４ａ，１４ｂの表示パネル支持面１４１に貼り付けた両面テープ２４に、フィルム状の光学部材１３ａ，１３ｂが誤って貼り付くことがない。
【０１３２】
また、フィルム状の光学部材１３ａ，１３ｂが、本発明のいずれかの実施形態にかかる光源装置１ａ，１ｂのフレーム１４ａ，１４ｂの表示パネル支持面１４１に乗り上げることがないから、フレーム１４ａ，１４ｂの表示パネル支持面１４１に載置された表示パネル２１が、本発明の実施形態にかかる表示装置２の前面側に浮き上がることがない。
【０１３３】
また、リワークなどにおいて、本発明のいずれかの実施形態にかかる光源装置１ａ，１ｂのフレーム１４ａ，１４ｂの表示パネル支持面１４１に貼り付けられた両面テープ２４を剥がす際に、フィルム状の光学部材１３ａ，１３ｂがリワークの作業を阻害することがなくなる。すなわち、フィルム状の光学部材１３ａ，１３ｂの周縁部は、本発明のいずれかの実施形態にかかる光源装置１ａ，１ｂのフレーム１４ａ，１４ｂの光学部材支持面１４５と、導光部材１２ａ，１２ｂ，１２ｃ，１２ｄ，１２ｅ，１２ｆ，１２ｇの光学部材支持面１２１２ａ，１２１２ｂ，１２１２ｃ，１２１２ｄ，１２１２ｅ，１２１２ｆ，１２１２ｇ（または、係合凹部１４６，１４６’，１４６”，１４６’”の底面）との間に位置しているから、フィルム状の光学部材１３ａ，１３ｂが作業の邪魔にならない。このため、リワークの作業性の向上を図ることができる。
【０１３４】
以上、本発明の各種実施形態について詳細に説明したが、本発明は、前記各種実施形態に何ら限定されるものではなく、本発明の趣旨を逸脱しない範囲において種々の改変が可能である。
【０１３５】
たとえば、本発明の実施形態においては、エッジライト型の光源装置を示したが、いわゆる直下型の光源装置および直下型の光源装置を備える表示装置にも適用できる。また、略平面の部分を有する光学部材として、導光部材を示したが、略平面の部分を有する導光部材は、導光部材に限定されるものではない。たとえば、拡散板などであってもよい。拡散板は、光の面方向の強度分布の不均一を緩和または解消する機能を有する板状の光学部材である。このように、略平面に形成される部分を有する光学部材の種類は限定されるものではない。
【符号の説明】
【０１３６】
１ａ  本発明の第一実施形態にかかる光源装置
１ｂ  本発明の第二実施形態にかかる光源装置
１１  光源
１２ａ，１２ｂ，１２ｃ，１２ｄ，１２ｅ，１２ｆ，１２ｇ  導光部材
１２１ａ，１２１ｂ，１２１ｃ，１２１ｄ，１２１ｅ，１２１ｆ，１２１ｇ  導光部材の本体部
１２１１ａ，１２１１ｂ，１２１１ｃ，１２１１ｄ，１２１１ｅ，１２１１ｆ，１２１１ｇ  導光部材の射出面
１２１２ａ，１２１２ｂ，１２１２ｃ，１２１２ｄ，１２１２ｅ，１２１２ｆ，１２１２ｇ  導光部材の光学部材支持面
１２２ａ，１２２ｂ，１２２ｃ，１２２ｄ，１２２ｅ，１２２ｆ，１２２ｇ  導光部材の延出部
１３ａ，１３ｂ  フィルム状の光学部材
１３１  第一の切り欠き
１３２ａ，１３２ｂ  延出部
１３３  第二の切り欠き
１４ａ，１４ｂ  フレーム
１４１  表示パネル支持面
１４２  位置決め突起
１４３  反射板取付面
１４４  位置決め片
１４５  光学部材支持面
１４６，１４６’，１４６”，１４６’”  係合凹部
１４７  移動規制面
１５  反射板
２  本発明の実施形態にかかる表示装置
２１  表示パネル
２２  前面側ケース
２３  背面側ケース
２４  両面テープ
【図１】
2011029045.tif 000003
【図２】
2011029045.tif 000004
【図３】
2011029045.tif 000005
【図４】
2011029045.tif 000006
【図５】
2011029045.tif 000007
【図６】
2011029045.tif 000008
【図７】
2011029045.tif 000009
【図８】
2011029045.tif 000010
【図９】
2011029045.tif 000011
【図１０】
2011029045.tif 000012
【図１１】
2011029045.tif 000013
【図１２】
2011029045.tif 000014
【図１３】
2011029045.tif 000015
【図１４】
2011029045.tif 000016
【図１５】
2011029045.tif 000017
【図１６】
2011029045.tif 000018
【図１７】
2011029045.tif 000019
【図１８】
2011029045.tif 000020